(57)【要約】【課題】  ポート間のクロストーク特性を緩和し、ＣＷＤＭシステム，波長群ルーティングシステム，高速伝送システムにて、低損失かつ透過帯域の広い波長ルータを提供する。【解決手段】  本発明の波長ルータは、N本の入力ポート及び出力ポートを備え、第1及び第2の光合分波回路，N個の光合波回路を有し、第1及び第2の光合分波回路がN本の入力ポート及び出力ポートを備え、入力された波長多重光信号を波長により所定の出力ポートに出力し、光合波回路が2本の入力ポートと1本の出力ポートを備え、波長ルータのM番目（1≦M≦Ｎ）の入力ポートが、Mが奇数の場合、第1の光合分波回路のM番目の入力ポートに接続され、Mが偶数の場合は第2の光合分波回路のM番目の入力ポートに接続され、2つの光合分波回路のM番目の出力ポートが、M番目の前記光合波回路の入力ポートに接続されており、M番目の光合波回路の出力ポートが波長ルータのM番目の出力ポートに接続されている。【選択図】    図１
2005223418.tif 000002
【特許請求の範囲】
【請求項１】
Ｎ本（Ｎは１以上の整数）の入力ポートとＮ本の出力ポートを備え、第一の光合分波回路と第二の光合分波回路と、Ｎ個の光合波回路を具備する波長ルータであって、
前記第一の光合分波回路および第二の光合分波回路は、Ｎ本の入力ポートとＮ本の出力ポートとを各々備え、入力された波長多重光信号を波長により所定の出力ポートに出力する機能を有し、
前記光合波回路が２本の入力ポートと１本の出力ポートとを備え、
前記波長ルータのＭ番目（Ｍは１≦Ｍ≦Ｎの範囲の整数）の入力ポートが、Ｍが奇数の場合前記第一の光合分波回路のＭ番目の入力ポートに、接続され、Ｍが偶数の場合は前記第二の光合分波回路のＭ番目の入力ポートに接続され、
前記２つの光合分波回路のＭ番目の出力ポートが、Ｍ番目の前記光合波回路の入力ポートにそれぞれ接続されており、
Ｍ番目の前記光合波回路の出力ポートが前記波長ルータのＭ番目の出力ポートに接続されていること特徴とする波長ルータ。
【請求項２】
前記光合波回路が、インターリーバで構成されることを特徴とする特許請求項１に記載の波長ルータ。
【請求項３】
前記光合分波回路が、Ｎ本の入力ポートと２Ｎ本の出力ポートを備えた光分波回路と、Ｎ個の光合流回路とを有していることを特徴とする請求項１または請求項２に記載の波長ルータ。
【請求項４】
前記光合分波回路が、アレイ導波路回折格子であることを特徴とする請求項３に記載の波長ルータ。
【請求項５】
互いに波長の異なる光信号を発生する複数の光送信器、及びこの複数の光送信器の出力光信号を多重化する合波器を含む光送信手段と、この光送信手段の出力光信号が入力される光ファイバ伝送路と、この光ファイバ伝送路における光信号を波長によって経路振り分けを行う波長ルータと、この光ファイバ伝送路が伝送した光信号を波長毎に分波する分波器と、この分波器により分波された波長毎に光信号を受信する複数の光受信器とを含む光受信手段とを備えた光波長多重伝送システムにおいて、
前記波長ルータが、Ｎ本（Ｎは整数）の入力ポートとＮ本の出力ポートを備え、第一の光合分波回路と第二の光合分波回路と、Ｎ個の光合波回路を具備する波長ルータであり、
前記第一の光合分波回路および第二の光合分波回路は、Ｎ本の入力ポートとＮ本の出力ポートとを各々備え、入力された波長多重光信号を波長により所定の出力ポートに出力する機能を有しており、
前記光合波回路が２本の入力ポートと１本の出力ポートとを備え、
前記波長ルータのＭ番目（Ｍは１≦Ｍ≦Ｎの範囲の整数）の入力ポートが、Ｍが奇数の場合前記第一の光合分波回路のＭ番目の入力ポートに、接続され、Ｍが偶数の場合は前記第二の光合分波回路のＭ番目の入力ポートに接続され、
前記２つの光合分波回路のＭ番目の出力ポートが、Ｍ番目の前記光合波回路の入力ポートにそれぞれ接続されており、
Ｍ番目の前記光合波回路の出力ポートが前記波長ルータのＭ番目の出力ポートに接続されていること特徴とする光波長多重伝送システム。
【発明の詳細な説明】
【技術分野】
【０００１】
本発明は、光波長多重された複数の光信号を波長によって経路振り分けを行う波長ルータと、この波長ルータを用いて複数の送受信装置間において伝送する光波長多重伝送通信システムに関する。
【背景技術】
【０００２】
光波長多重（ＷＤＭ）伝送システムは、複数の光信号を異なる光周波数に割り当てることで、１本の光ファイバにより伝送できる伝送容量を大幅に増大させるだけでなく、波長に対して、信号の行き先情報を割り当てる波長アドレッシングが可能である。
さらに、スター型光波長分割多重ネットワークシステムは、周期的な入出力関係の分波特性を有する波長ルータを中心に、Ｎ個の送受信装置間が接続されるように配置されており、Ｎ波長の光信号を用いるだけで装置間を相互接続するＮ×Ｎの信号路を独立にフルメッシュ接続することが可能な光波長多重通信システムを実現できる（特許文献１参照）。
【０００３】
図５は、上述した従来の波長ルータを用いて構成した、光波長多重通信システムを示す概略図である。
この図５において、符号５０１〜５０７はＷＤＭ信号(波長λ1〜λnの光信号を合波した信号)を送受信する送受信装置であり、 符号５０８はＮポートの入出力を持つ周期的な入出力関係の分波特性を有する波長ルータである。
図５の例においては、波長ルータ５０８としてアレイ導波路回折格子型合分波回路（ＡＷＧ）を用いており、波長ルータ５０８と各送受信装置５０１〜５０７とはそれぞれ上りと下りの２本の光ファイバで接続されている。
【０００４】
次に、図６は図５に示す光波長多重通信システムの概略構成を説明する概念図である。図６における符号６０１〜６０４は送受信装置であり、符号６０５はＷＤＭ信号(波長λ1〜λnの光信号を合波した信号)を受信する受信装置であり、符号６０６はＷＤＭ信号(波長λ1〜λnの光信号を合波した信号)を送信する送信装置であり、符号６０７は１本の光ファイバに波長多重されたＷＤＭ信号を分波するための分波器であり、符号６０８は送信装置６０６からの波長の異なる複数の光信号を１本の光ファイバに合波するための合波器であり、符号609は波長ルータ（ＡＷＧ）であり、符号６１０〜６１３は送受信装置６０１〜６０４と波長ルータ６０９との入出力ポートを光学的に接続する光ファイバである。
なお，送受信装置６０２〜６０４の構成は、送受信装置６０１と同様である。１台の送受信装置と波長ルータ６０９とは、上り及び下りあわせて２本の光ファイバで接続されている。
【特許文献１】特開２００２−２０１１１２号公報
【発明の開示】
【発明が解決しようとする課題】
【０００５】
上述した従来の波長ルータを用いて構成した光波長多重通信システムにおいては、この波長ルータにおいて、隣接する送受信装置のポートからのクロストークによる信号劣化を防ぐ必要がある。
また、通信システムにおける波長ルータは、透過帯域の中心波長において、透過損失が最小となり、かつクロストークも最小となるように設計されている。
ここで，信号波長が透過帯域の中心波長からずれると損失が増大すると同時に，隣接チャネルへのクロストークが増大する。
【０００６】
特に、レーザの温度制御をしないＣＷＤＭ（CoarseＷＤＭ）システムにおいては、図７に示すように、環境温度の変化によって、送信機におけるレーザの発光波長がシフトして、波長ルータの隣接するポートへの光信号にクロストークが生じる。
これを避けるため、上記波長ルータにおけるクロストークを低減しようとすると、波長ルータの透過帯域を狭める必要がある。
しかしながら、透過帯域を狭めると、そのため光信号の透過損失が増大し、ＣＷＤＭシステムにおいては、使用する周囲の環境温度を制限するなどの対策が必要となる。
【０００７】
また、文献（２００２年電子情報通信学通信ソサイエティ大会Ｂ−１２−２）に示されているような波長ルータの透過帯域の中に、複数の波長の信号群(波長群)を割り当て、同時にルーティングする波長群ルーティングがある。
この波長群ルーティングにおいては、波長ルータの透過帯域の中央から外れた波長の光信号を用いるため、隣接チャネルへのクロストーク成分が大きくなる。
この場合，所望のクロストーク特性を得ようとして、波長ルータの透過帯域を狭くすると、使用できる波長数を減らす必要があり、伝送効率を低下させることになる。
さらに、伝送速度４０Ｇbit/sなどの高遮光伝送システムにおいては、透過帯域の狭い波長ルータを用いると、変調側波帯が歪むことにより、光信号の伝送エラーが生じるという問題がある。
【０００８】
本発明はこのような事情に鑑みてなされたものであり、波長ルーティング回路に要求されるクロストーク特性を緩和し、ＣＷＤＭシステムや波長群ルーティングシステム、あるいは高速伝送システムにおいて、低損失かつ透過帯域の広い波長ルータを提供するとともに、高性能な光波長多重通信システムを安価に提供することを目的とする。
【課題を解決するための手段】
【０００９】
本発明の波長ルータは、Ｎ本（Ｎは１以上の整数）の入力ポートとＮ本の出力ポートを備え、第一の光合分波回路と第二の光合分波回路と、Ｎ個の光合波回路を具備する波長ルータであって、前記第一の光合分波回路および第二の光合分波回路は、Ｎ本の入力ポートとＮ本の出力ポートとを各々備え、入力された波長多重光信号を波長により所定の出力ポートに出力する機能を有し、前記光合波回路が２本の入力ポートと１本の出力ポートとを備え、前記波長ルータのＭ番目（Ｍは１≦Ｍ≦Ｎの範囲の整数）の入力ポートが、Ｍが奇数の場合前記第一の光合分波回路のＭ番目の入力ポートに、接続され、Ｍが偶数の場合は前記第二の光合分波回路のＭ番目の入力ポートに接続され、前記２つの光合分波回路のＭ番目の出力ポートが、Ｍ番目の前記光合波回路の入力ポートにそれぞれ接続されており、Ｍ番目の前記光合波回路の出力ポートが前記波長ルータのＭ番目の出力ポートに接続されていること特徴とする。
【００１０】
本発明の波長ルータは、前記光合波回路が、インターリーバで構成されることを特徴とする。
本発明の波長ルータは、前記光合分波回路が、Ｎ本の入力ポートと２Ｎ本の出力ポートを備えた光分波回路と、Ｎ個の光合流回路とを有していることを特徴とする。
本発明の波長ルータは、前記光合分波回路が、アレイ導波路回折格子であることを特徴とする。
【００１１】
本発明の光波長多重伝送システムは、互いに波長の異なる光信号を発生する複数の光送信器、及びこの複数の光送信器の出力光信号を多重化する合波器を含む光送信手段と、この光送信手段の出力光信号が入力される光ファイバ伝送路と、この光ファイバ伝送路における光信号を波長によって経路振り分けを行う波長ルータと、この光ファイバ伝送路が伝送した光信号を波長毎に分波する分波器と、この分波器により分波された波長毎に光信号を受信する複数の光受信器とを含む光受信手段とを備えた光波長多重伝送システムにおいて、前記波長ルータが、Ｎ本（Ｎは整数）の入力ポートとＮ本の出力ポートを備え、第一の光合分波回路と第二の光合分波回路と、Ｎ個の光合波回路を具備する波長ルータであり、前記第一の光合分波回路および第二の光合分波回路は、Ｎ本の入力ポートとＮ本の出力ポートとを各々備え、入力された波長多重光信号を波長により所定の出力ポートに出力する機能を有しており、前記光合波回路が２本の入力ポートと１本の出力ポートとを備え、前記波長ルータのＭ番目（Ｍは１≦Ｍ≦Ｎの範囲の整数）の入力ポートが、Ｍが奇数の場合前記第一の光合分波回路のＭ番目の入力ポートに、接続され、Ｍが偶数の場合は前記第二の光合分波回路のＭ番目の入力ポートに接続され、前記２つの光合分波回路のＭ番目の出力ポートが、Ｍ番目の前記光合波回路の入力ポートにそれぞれ接続されており、Ｍ番目の前記光合波回路の出力ポートが前記波長ルータのＭ番目の出力ポートに接続されていること特徴とする。
【発明の効果】
【００１２】
以上説明したように、本発明の波長ルータによれば、波長ルーティング回路に要求されるクロストーク特性を緩和し、ＣＷＤＭシステムや波長群ルーティングシステムにおいて、低損失な波長ルータを提供し、かつ高性能な光波長多重通信システムを安価に提供することが可能となる。
【発明を実施するための最良の形態】
【００１３】
本発明の波長ルータは、Ｎ本（Ｎは１以上の整数）の入力ポートとＮ本の出力ポートを備えており、第一の光合分波回路と第二の光合分波回路との２つの光合分波回路と、Ｎ個の光合波回路を具備している。
そして、上記第一の光合分波回路および第二の光合分波回路は、各々Ｎ本の入力ポートとＮ本の出力ポートとを有しており、入力された波長多重光信号を波長により所定の出力ポートに出力する機能を備えている。
また、上記光合波回路各々は２本の入力ポートと１本の出力ポートとを備えており、上記波長ルータのＭ番目（Ｍは１≦Ｍ≦Ｎの範囲の整数）の入力ポートが、Ｍが奇数の場合に、上記第一の光合分波回路のＭ番目の入力ポートに接続され、Ｍが偶数の場合に、上記第二の光合分波回路のＭ番目の入力ポートに接続され、これら２つの光合分波回路のＭ番目の出力ポートが、Ｍ番目の光合波回路の入力ポートにそれぞれ接続されており、Ｍ番目の光合波回路の出力ポートが波長ルータのＭ番目の出力ポートに接続されている。
【００１４】
そして、本発明のルータは、例えば、図６に示すような、互いに波長の異なる光信号を発生して、少なくとも一部の伝送速度が異なる複数の光送信装置（６０６）と、この複数の光送信器の出力光信号を多重化する合波器（６０８）と、多重化した光信号を増幅する増幅手段とを含む光送信器（図示せず）と、この光送信手段の出力光信号が入力される光ファイバ伝送路（光ファイバ６１０〜６１３）と、この光ファイバ伝送路における光信号を波長によって経路振り分けを行う波長ルータ（本発明の波長ルータを使用）と、この光ファイバ伝送路が伝送した光信号を波長毎に分波する分波器（６０７）と、この分波器により分波された波長毎に光信号を受信する複数の光受信装置（６０５）とを備えた光波長多重伝送システムの波長ルータとして用いられる。
【００１５】
＜第１の実施形態＞
以下、本発明の第１の実施形態による波長ルータを図面を参照して説明する。図１は第１の実施形態の波長ルータを用いた光波長多重通信システムの構成例を示すブロック図である。
この図において、符号１０１〜１０４はＷＤＭ信号(波長λ1〜λ4の光信号を合波した信号)を送信する送信装置であり， １０５〜１０８はＷＤＭ信号(波長λ1〜λ4の光信号を合波した信号)を受信する受信装置である。
そして、符号１２３は、４ポートの入出力、すなわち、入力ポートＩＩ１〜ＩＩ４，出力ポートＯＯ１〜ＯＯ４を有し、周期的な入出力関係の分波特性を有する４×４波長ルータでありる。
符号１０９〜１１６は、送受信装置１０１〜１０８と波長ルータ１２３とを接続する光ファイバである。
なお、送受信装置１０１〜１０８の構成は、図５に示した従来例の送受信装置８０１〜８０４と同様である。
【００１６】
ここで、本実施形態の波長ルータ１２３において、送受信装置１０１〜１０８は、図５に示した従来例と異なる点として、２つの光合分波回路１１７及び１１８と、光合波回路１１９〜１２２とを有している。
例えば、図１においては、光合分波回路１１７及び１１８として、波長周回性アレイ導波路回折格子型合分波回路（ＡＷＧ）が用いられ、光合波回路１１９〜１２２としてインタリーバ（導波路型波長スプリッタ）を用いられている。
光合分波回路１１７及び１１８は、入力されたＷＤＭ信号を、後に説明する図２のテーブルの波長と入力及び出力ポートとの関係に基づき、一端、個々の光信号に分波して、このテーブルの関係に対応するように、分波した光信号を多重化して出力する。
【００１７】
ここで、波長ルータ１２３は、１番目の入力ポートＩＩ１が第一の光合分波回路１１７の１番目の入力ポートＩ１に接続されており、２番目の入力ポートＩＩ２が第二の光合分波回路１１８の２番目の入力ポートＩ２に接続されている。
また、２つの上記光合分波回路１１７及び１１８は、各々１番目の出力ポートＯ１が１番目の光合波回路１１９の入力ポートに接続されている。
ここで、第一の光合分波回路１１７の１番目の出力ポートＯ１が波長λ1,3に対応しており、第二の光合分波回路１１８の１番目の出力ポートＯ１波長λ2,4に対応している。
１番目の光合波回路１１９は、出力ポートが波長ルータ１２３の１番目の出力ポートＯＯ１に接続されている。
同様に、２番目，３番目，４番目の光合波回路１２０，１２１，１２２各々は、波長ルータ１２３の２番目，３番目，４番目の出力ポートＯＯ２，ＯＯ３，ＯＯ４にそれぞれ接続されている。
【００１８】
また、図２は、本発明による、入力ポート及び出力ポートにおける波長の関係、すなわち、光合分波回路１１７及び１１８において、入力ポートから入力される波長と、出力ポートから出力される波長との対応関係を示すテーブルである。
縦の欄に記載された番号Ｉ1〜Ｉ4は光合分波回路１１７及び１１８の入力ポート番号であり、横の欄に記載された番号Ｏ１〜Ｏ４は光合分波回路１１７及び１１８の出力ポート番号である。
例えば、光合分波回路１１７及び１１８においては、上記図２に示すテーブルから、入力ポートＩ１から出力ポートＯ２へ光信号を送信するため、波長λ２の光信号を使用し、逆に入力ポートＩ２から出力ポートＯ１へ光信号を送るには、波長λ２を使えばよいことがわかる。光合分波回路１１７及び１１８における他の入力及び出力ポート間においても同様である。
【００１９】
図１の実施形態において、送信装置１０１（ノード１）及び１０３（ノード３）から送られたＷＤＭ信号は、光合分波回路１１７に入力され、一方、送信装置１０２（ノード２）及び１０４（ノード４）から送られたＷＤＭ信号は光合分波回路１１８に入り、それぞれ波長ルーティングされる。
ここで、波長ルータ１２３の入力ポートＩＩ１，ＩＩ２，ＩＩ３，ＩＩ４各々は、送信装置１０１，１０２，１０３，１０４にそれぞれ対応して接続されている。
そして、インタリーバ１１９〜１２２は、波長ルーティングされたＷＤＭ信号を合波して、各々対応する受信装置１０５〜１０８へ送信される。
【００２０】
ここで、隣り合うノード（例えば、ノード１及びノード２）からのＷＤＭ信号は、それぞれ異なった光合分波回路１１７及び１１８で波長ルーティングされるため、波長ルータ１２３における隣接ポートからのクロストーク成分は、光合波回路１１９〜１２２のインターリーブ機能によって除去される。上記隣接ポートとしては、例えば、図１に示すように、入力ポートＩＩ１とＩＩ２とが、または、入力ポートＩＩ３とＩＩ４とが、各々対応している。
また、非隣接ポートからのクロストークを、−４０dB以下に遮蔽する特性を容易に実現できるので、クロストークによる信号劣化が生じない。上記非隣接ポートとしては、例えば、図１に示すように、入力ポートＩＩ１とＩＩ３とが、または、入力ポートＩＩ２とＩＩ４と、または入力ポートＩＩ１とＩＩ４とが、各々対応している。
【００２１】
＜第２の実施形態＞
図３は、本発明の第２の実施形態の波長ルータを用いて構成した光波長多重通信システムの構成例を示すブロック図である。
この図において、符号２３１〜３０４は、ＷＤＭ信号(波長λ1〜λ4の光信号を合波した信号)を送信する送信装置である。
符号３０５〜３０８は、ＷＤＭ信号(波長λ1〜λ4の光信号を合波した信号)を受信する受信装置である。
符号３３１は、４ポートの入出力、すなわち入力ポートＩＩ１〜ＩＩ４，出力ポートＯＯ１〜ＯＯ４を有し、周期的な入出力関係の分波特性を有する４×４波長ルータである。
【００２２】
符号３０９〜３１６は、送受信装置３０１〜３０８と波長ルータ３３１とを接続する光ファイバである。
なお、送受信装置３０１〜３０８の構成は、図６に示した従来例の送受信装置６０１〜６０４と同様である。
ここで、波長ルータ３３１は、２つの光合分波回路３１７及び３１８と、入力される複数の光信号を合波する光合流回路３１９〜３３０とを有している。
図３に示す構成例においては、光合分波回路３１７及び３１８として、４×８アレイ導波路回折格子型合分波回路（ＡＷＧ）を用い、光合波回路３２９〜３２２としてインタリーバを用い、光合流回路３２３〜３３０として光カプラを用いている。
光合分波回路３１７及び３１８は、Ｎ本の入力ポートと２Ｎ本の出力ポートを備え、入力されたＷＤＭ信号を、後に説明する図４のテーブルの波長と入力及び出力ポートとの関係に基づき、一端、個々の光信号に分波して、このテーブルの関係に対応するように、分波した光信号を多重化して出力する。
【００２３】
ここで、波長ルータ３３１は、１番目の入力ポートＩＩ１が、第一の光合分波回路３１７の１番目の入力ポートＩ１に接続され、２番目の入力ポートＩＩ２が、第二の光合分波回路３１８の２番目の入力ポートＩ２に接続されている。
一方、光合分波回路３１７は、１番目および５番目の出力ポートＯ１，Ｏ５が、１番目の光合流回路３２３の入力ポートに接続されている。
また、光合分波回路３１８は、１番目および５番目の出力ポートＯ１，Ｏ５が、５番目の光合流回路３２７の入力ポートに接続されている。
さらに、１番目の光合流回路３２３および５番目の光合流回路３２７各々の出力ポートは、１番目の光合波回路３１９の入力ポートに接続され、この１番目の光合波回路３１９の出力ポートは、波長ルータ１２３の１番目の出力ポートＯＯ１に接続されている。
【００２４】
図４は，本発明による光合分波回路２１７及び３１８における入力ポートと出力ポートとの波長の関係、すなわち、光合分波回路１１７及び１１８において、入力ポートから入力される波長と、出力ポートから出力される波長との対応関係を示すテーブルである。
番号ＩＩ１〜ＩＩ４は波長ルータの入力ポート番号であり、番号ＯＯ１〜ＯＯ４は出力ポート番号である。
光合分波回路２１７は、図４に示すテーブルに基づいて、入力ポートＩ１から入力されたＷＤＭ信号において、波長λ1〜λ4各々の光信号を、出力ポートＯ５〜Ｏ８に対して順次出力する。
同様に、光合分波回路２１７は、入力ポートＩ２から入力されたＷＤＭ信号において、波長λ1〜λ4の光信号を、出力ポートＯ４〜Ｏ７へ順次出力する。
【００２５】
図３において、各ノード（送受信装置３０１〜３０４）から送られたＷＤＭ信号は、光合分波回路３１７及び３１８において分波され、光カプラ３２３〜３３０において合波され、さらにインタリーバ３１９〜３２２において合波されてＷＤＭ信号となり、出力光ファイバ３１３〜３１６各々に出力される。
ここで、隣り合うノード（例えば、ノード１及びノード２）からのＷＤＭ信号は、それぞれ異なった光合分波回路３１７及び３１８により波長ルーティングされる。
これにより、波長ルータ１２３においては、図７で説明したような隣接ポートからのクロストーク成分が、光合波回路３１９〜３２２のインターリーブ機能により除去される。上記隣接ポートとしては、例えば、図３に示すように、入力ポートＩＩ１とＩＩ２とが、または、入力ポートＩＩ３とＩＩ４とが、各々対応している。
【００２６】
また、非隣接ポートからのクロストークを、−４０dB以下に遮蔽する特性を容易に実現できるので、クロストークによる信号劣化が生じない。上記非隣接ポートとしては、例えば、図１に示すように、入力ポートＩＩ１とＩＩ３とが、または、入力ポートＩＩ２とＩＩ４と、または入力ポートＩＩ１とＩＩ４とが、各々対応している。。
ここで，光合流回路３２３〜３３０として、光カプラの替わりにインタリーバを用いることもできる。
以上の第１及び第２の実施形態においては、光合波回路や光合分波回路として単一素子のＡＷＧを用いたが、他の素子、例えば分波ＡＷＧとファイバ配線の組み合わせ、あるいは誘電体多層膜を用いた合分波回路とファイバ配線の組み合わせでも、同様の効果が得られる。
【図面の簡単な説明】
【００２７】
【図１】本発明の第１の実施形態による波長ルータを用いて構成した光波長多重通信システムを示す概略図である。
【図２】本発明の第１の実施形態による波長ルータの入力及び出力ポートの波長の関係を示すテーブルである。
【図３】本発明の第２の実施形態による波長ルータを用いて構成した光波長多重通信システムを示す概略図である。
【図４】本発明の第２の実施形態による波長ルータの入出力ポートの波長の関係を示す表である。
【図５】従来の波長ルータを用いて構成した光波長多重通信システムを示す概略図である。
【図６】従来の波長ルータを用いた光波長多重通信システムの概略構成例を示すブロック図である。
【図７】従来の波長ルータにおける隣接チャネルへのクロストークを説明する図である。
【符号の説明】
【００２８】
１０１，１０２，１０３，１０４…送信装置
１０５，１０６，１０７，１０８…受信装置
１０９，１１０，１１１，１１２，１１３，１１４，１１５，１１６…光ファイバ
１１７，１１８…光合分波回路
１１９，１２０，１２１，１２２…光合波回路
３０１，３０２，３０３，３０４…送信装置
３０５，３０６，３０７，３０８…受信装置
３０９，３１０，３１１，３１２，３１３，３１４，３１５，３１６…光ファイバ
３１７，３１８…光合分波回路
３１９，３２０，３２１，３２２…光合波回路
【図１】
2005223418.tif 000003
【図２】
2005223418.tif 000004
【図３】
2005223418.tif 000005
【図４】
2005223418.tif 000006
【図５】
2005223418.tif 000007
【図６】
2005223418.tif 000008
【図７】
2005223418.tif 000009